【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
遠隔地から利用者のコンピュータ装置の位置の監視を行えるようにするために、前記利用者のコンピュータ装置によって行われる方法であって、
前記利用者のコンピュータ装置の位置を示す位置データを監視システムに送信する前に、少なくとも、前記位置データを前記コンピュータ装置の利用者の秘密鍵で暗号化するかどうかを判定するための条件付きデータ暗号化規則であって、前記利用者の勤務のスケジュールに対応する時間ベースの基準を含む、前記コンピュータ装置の基準を規定する条件付きデータ暗号化規則を、前記監視システムからネットワークを介して受信することと、
前記条件付きデータ暗号化規則を前記コンピュータ装置のメモリに格納することと、
前記勤務時間の内外両方で前記コンピュータ装置の位置が通知されるように、前記条件付きデータ暗号化規則に従い前記コンピュータ装置の位置を前記監視システムに繰り返し通知することと、
を含み、
前記繰り返し通知することは、
前記利用者のコンピュータ装置の位置を反映する前記位置データを取得し、
前記条件付きデータ暗号化規則を用いて決定されるところによる、前記位置データが前記利用者の勤務時間中に取得されたかどうかに少なくとも部分的には基づいて、前記利用者の秘密鍵で前記位置データを暗号化するかどうかを判定し、
前記秘密鍵で前記位置データを暗号化すると判定された場合、前記位置データを前記秘密鍵で暗号化して、暗号化された位置データを生成し、前記暗号化された位置データをネットワークを介して前記監視システムに送信し、
前記秘密鍵で前記位置データを暗号化しないと判定された場合、最初に前記位置データを前記秘密鍵で暗号化することなく前記監視システムに送信する、
ことを含む、
前記コンピュータ装置によって実行されるプログラムコードの制御の下で実行される方法。
【請求項２】
前記暗号化するかどうかの判定は、
前記位置データと関連付けられた日時と前記勤務時間のスケジュールとの比較に基づいて行われる、
請求項１に記載の方法。
【請求項３】
前記方法は、
前記利用者に対して実質的に不可視のバックグラウンドタスクとして行われる、
請求項１又は請求項２に記載の方法。
【請求項４】
前記方法は、更に、
前記位置データとは異なるアプリケーションデータを、前記アプリケーションデータが遠隔でバックアップされるように、前記監視システムに送信すること、
を含む、
請求項１から請求項３の何れか一項に記載の方法。
【請求項５】
前記方法は、更に、
前記アプリケーションデータが前記勤務時間内に生成されたかどうかに少なくとも部分的には基づいて、前記監視システムに送信する前に前記アプリケーションデータを前記秘密鍵で暗号化するかどうかを判定すること、
を含む、
請求項４に記載の方法。
【請求項６】
前記条件付きデータ暗号化規則は、
前記利用者の休暇のスケジュールに部分的には基づいている、
請求項１から請求項５の何れか一項に記載の方法。
【請求項７】
前記利用者のコンピュータ装置は、
前記利用者の雇用主が所有するものであり、
前記条件付きデータ暗号化規則は、
前記雇用主による前記利用者の勤務のスケジュールを反映したものである、
請求項１から請求項６の何れか一項に記載の方法。
【請求項８】
前記方法は、更に、
盗難されたコンピュータ装置を回収するため、暗号化された位置データを含む、前記監視システムに送信された位置データを使用すること、
を含む、
請求項１から請求項７の何れか一項に記載の方法。
【請求項９】
前記位置データは、前記コンピュータ装置のＧＰＳ（Global Positioning System）受信機により生成されたＧＰＳデータを含む、
請求項１から請求項８の何れか一項に記載の方法。
【請求項１０】
雇用主に雇われた利用者のコンピュータ装置の位置を示す位置データを監視システムに送信する前に、少なくとも、前記位置データを前記コンピュータ装置の利用者の秘密鍵で暗号化するかどうかを判定するための条件付きデータ暗号化規則であって、前記利用者の勤務のスケジュールに対応する時間ベースの基準を含む、前記コンピュータ装置の基準を規定する条件付きデータ暗号化規則を、前記監視システムからネットワークを介して受信することと、
前記条件付きデータ暗号化規則を前記コンピュータ装置のメモリに格納することと、
前記勤務時間の内外両方で前記コンピュータ装置の位置が通知されるように、前記条件付きデータ暗号化規則に従い前記コンピュータ装置の位置を前記監視システムに繰り返し通知することと、
を含み、
前記繰り返し通知することは、
前記利用者のコンピュータ装置の位置を反映する前記位置データを取得し、
前記条件付きデータ暗号化規則を用いて決定されるところによる、前記雇用主と結んだ勤務のスケジュールに少なくとも部分的には基づいて、前記位置データが前記コンピュータ装置の業務での使用に関連するかどうかを判定し、
前記位置データが前記コンピュータ装置の業務での使用に関連しないと判定された場合、前記位置データを前記秘密鍵で暗号化して、暗号化された位置データを生成し、前記暗号化された位置データをネットワークを介して前記監視システムに送信し、
前記位置データが前記コンピュータ装置の業務での使用に関連すると判定された場合、最初に前記位置データを前記秘密鍵で暗号化することなく前記監視システムに送信する、
ことを含む、
方法の実行を指示するプログラムコードを記憶するコンピュータ読取可能な媒体。
【請求項１１】
利用者のプライバシが保護されるように前記利用者のコンピュータ装置の位置を監視する方法であって、
雇用主に雇われた前記利用者のコンピュータ装置の位置を示す位置データを監視システムに送信する前に、少なくとも、前記位置データを前記コンピュータ装置の利用者の秘密鍵で暗号化するかどうかを判定するための条件付きデータ暗号化規則であって、前記利用者の勤務のスケジュールに対応する時間ベースの基準を含む、前記コンピュータ装置の基準を規定する条件付きデータ暗号化規則を、前記監視システムから前記コンピュータ装置へネットワークを介して送信することと、
前記条件付きデータ暗号化規則に基づいて前記コンピュータ装置により前記利用者の秘密鍵で暗号化された第一の位置データであって、前記利用者の勤務時間外における前記コンピュータ装置の位置を示すものを、ネットワークを介して前記コンピュータ装置から受信して前記監視システムのストレージに格納することと、
前記利用者の秘密鍵で暗号化されていない第二の位置データであって、前記利用者の勤務時間内における前記コンピュータ装置の位置を示すものを、ネットワークを介して前記コンピュータ装置から受信して前記監視システムのストレージに格納することと、
盗難が通知された前記利用者のコンピュータ装置と関連する前記利用者の秘密鍵を受信し、前記第一の位置データを前記秘密鍵で復号化することと、
前記復号化された第一の位置データと前記第二の位置データを使用して、盗難が通知された前記利用者のコンピュータ装置を回収しようとすること、
を含む方法。
【請求項１２】
前記コンピュータ装置は、
前記雇用主が所有するものである、
請求項１１に記載の方法。
【請求項１３】
前記条件付きデータ暗号化規則は、
前記利用者の休暇のスケジュールを反映したものである、
請求項１１又は請求項１２に記載の方法。
【請求項１４】
前記方法は、更に、
少なくとも、前記利用者の秘密鍵で前記位置データを暗号化しないと判定された場合に位置データを社内鍵で暗号化すること、
を含む、
請求項１から請求項９の何れか一項に記載の方法。
【請求項１５】
前記秘密鍵による前記位置データの暗号化は、
正しいパスワードが入力されることが条件である、
請求項１から請求項９の何れか一項又は請求項１４に記載の方法。
【請求項１６】
前記方法は、更に、
盗難された時間の近くまで遡り、暗号化された前記位置データを復号化すること、
を含む、
請求項８又は請求項８を引用する請求項１４又は請求項８を引用する請求項１５に記載の方法。
【請求項１７】
前記方法は、更に、
盗難された時間に遡り、暗号化された前記位置データを復号化すること、
を含む、
請求項８又は請求項８を引用する請求項１４又は請求項８を引用する請求項１５に記載の方法。
【請求項１８】
前記方法は、更に、
前記コンピュータ装置の盗難後、修正された条件付きデータ暗号化規則を受信すること、
を含む、
請求項８又は請求項８を引用する請求項１４又は請求項８を引用する請求項１５に記載の方法。
【請求項１９】
前記修正された条件付きデータ暗号化規則は、
前記コンピュータ装置に対して前記秘密鍵での暗号化を全て中止させるものである、
請求項１８に記載の方法。